(57)【要約】  【課題】  検査又は機能設定を行う際に、ベンダ用ポートを簡易に外部へ露出させ、光通信装置の使用時には、ベンダ用ポートを使用者から隠すことができる光通信装置を提供する。  【解決手段】  光通信に係る光通信回路部を収容してある略直方体の筐体１と、筐体１に摺動可能に連結してあり、外部から引き入れた光ファイバの余長部分を収容する収容体２と、光通信回路部に接続してあり、データを入出力するベンダ用ポート４２とを備える光通信装置において、ベンダ用ポート４２を筐体１に対する収容体２の摺動により、光通信装置の外部へ露出するように筐体１の底面１１０ａに配する。【選択図】        図４
2006135108.tif 000002
【特許請求の範囲】
【請求項１】
光ファイバが接続される光通信回路部を収容する筐体と、該筐体に摺動可能に連結してあり、光ファイバの余長部分を収容する収容体と、前記光通信回路部に接続してあり、データを入出力するベンダ用ポートとを備える光通信装置において、
前記ベンダ用ポートは、
前記筐体に対する前記収容体の摺動により、外部へ露出するように前記筐体に配されている
ことを特徴とする光通信装置。
【請求項２】
前記ベンダ用ポートが非露出の状態にて、前記収容体と前記筐体とを互いに固定する手段を備える
ことを特徴とする請求項１に記載の光通信装置。
【発明の詳細な説明】
【技術分野】
【０００１】
本発明は、光通信に係る光通信回路部を収容する筐体と、前記光通信回路部に接続されているベンダ用ポートとを備える光通信装置に関する。
【背景技術】
【０００２】
従来の光通信装置は、基板に配された光通信回路部と、該光通信回路部を収容する筐体とを備えている。筐体は、平面視で略長方形の一の角部を切り欠いた、扁平な略直方体形状をなしており、筐体には、外部より引き入れられる光ファイバの余長部分を巻回して収容する収容体が、筐体の長辺方向に摺動可能に積層連結されている。
【０００３】
筐体は、厚さ方向に分割可能な２つの半体を有し、２つの半体が嵌合固定されて構成されている。筐体の切り欠き部分の一側面には、外部より引き入れられる光ファイバのプラグが接続されるレセプタクルが設けられている。また、筐体の短辺側の側面には、ＬＡＮケーブルのコネクタが接続されるＬＡＮポートが設けられている。
【０００４】
レセプタクル及びＬＡＮポートは、光通信回路部に接続されており、光通信回路部は、光ファイバ及びＬＡＮケーブルを通じて入出力される光信号及び電気信号を相互に変換する機能を有している。また、光通信回路部には、ベンダ用ポートが接続されている。ベンダ用ポートは、使用者以外の製造業者又は通信事業者が使用する接続部であり、光通信装置の外部から隠れるように筐体に収容されている。前記ベンダ用ポートは、例えば、光通信装置の製造における出荷検査の工程において、外部のコンピュータ等に接続され、光通信装置の検査又は機能設定用の命令等のデータを入出力するために用いられる。
【０００５】
このように構成される光通信装置においては、ベンダ用ポートは筐体内部に収容されているため、光通信装置の使用者がベンダ用ポートを触り又は使用することにより、光通信装置の故障又は不具合が生じる虞はない。例えば、使用者がベンダ用ポートに触れて、ベンダ用ポートの接続部が変形するといった故障を防ぐことができる。また、使用者がベンダ用ポートを使用して機能設定を変更することにより、光通信装置に不具合が生じることを防ぐことができる。
【特許文献１】特許第１２０２８５３号明細書
【発明の開示】
【発明が解決しようとする課題】
【０００６】
しかしながら、従来の光通信装置においては、出荷検査の工程において、光通信装置の検査又は機能設定を行う場合、ベンダ用ポートを使用するために一旦筐体を２つの半体に解体する必要があり、光通信装置の検査作業を効率的に行えないという問題があった。
【０００７】
また、出荷検査の際に、筐体を２つの半体に解体した場合、筐体内部の状態、例えば放熱状態が変化するため、光通信装置の正確な検査を行えないという問題があった。
【０００８】
本発明は、斯かる事情に鑑みてなされたものであり、収容体の摺動によりベンダ用ポートが外部へ露出するように構成することにより、検査又は機能設定を行う際には、ベンダ用ポートを簡易に装置の外部へ露出させ、検査又は機能設定後は、ベンダ用ポートを使用者から隠すことができる光通信装置を提供することを目的とする。
【０００９】
また、ベンダ用ポートが非露出の状態にて、収容体と筐体とを互いに固定可能に構成することにより、光通信装置の使用者がベンダ用ポートを触り又は使用することによる故障又は不具合が生じる虞のない光通信装置を提供することを他の目的とする。
【課題を解決するための手段】
【００１０】
第１発明に係る光通信装置は、光ファイバが接続される光通信回路部を収容する筐体と、該筐体に摺動可能に連結してあり、光ファイバの余長部分を収容する収容体と、前記光通信回路部に接続してあり、データを入出力するベンダ用ポートとを備える光通信装置において、前記ベンダ用ポートは、前記筐体に対する前記収容体の摺動により、外部へ露出するように前記筐体に配されていることを特徴とする。
【００１１】
第１発明にあっては、筐体に対して収容体が所定位置まで摺動した場合、ベンダ用ポートが装置の外部から隠れた状態となる。つまり、光通信装置の使用者はベンダ用ポートを触り又は使用することができない状態となる。また、筐体に対して収容体が他の所定位置まで摺動した場合、ベンダ用ポートが装置の外部へ露出し、ベンダ用ポートを使用することができる状態になる。
【００１２】
また、光通信に係る光通信回路部を筐体に収容した状態にて、ベンダ用ポートを外部へ露出させ又は隠すことができるため、ベンダ用ポートの露出状態に関わらず、光通信回路部の動作環境は変化しない。
【００１３】
更に、光通信装置に接続する光ファイバの余長処理に必要な収容体を用いて、ベンダ用ポートを装置の外部へ露出させ又は装置の外部から隠すように構成しているため、光通信装置が複雑化しない。
【００１４】
第２発明に係る光通信装置は、前記ベンダ用ポートが非露出の状態にて、前記収容体と前記筐体とを互いに固定する手段を備えることを特徴とする。
【００１５】
第２発明にあっては、ベンダ用ポートが装置の外部から隠れた状態にて、収容体と筐体とを互いに固定することができる。従って、収容体と筐体とが互いに固定されない光通信装置に比べて、ベンダ用ポートが装置の外部へ露出する虞は低い。
【発明の効果】
【００１６】
第１発明に係る光通信装置にあっては、装置を複雑化することなく、簡易にベンダ用ポートを装置の外部へ露出させ、光通信装置の検査又は機能設定を効率的に行うことができる。
【００１７】
また、ベンダ用ポートを装置の外部から隠すことにより、使用者がベンダ用ポートを触り又は使用することによって、光通信装置の故障又は不具合が生じることを防ぐことができる。
【００１８】
更に、ベンダ用ポートの露出状態に関わらず、光通信回路部の動作環境は変化しないため、筐体を解体して検査を行う場合に比べて、ベンダ用ポートを用いた光通信装置の検査をより正確に行うことができる。
【００１９】
第２発明に係る光通信装置にあっては、ベンダ用ポートが非露出の状態にて、筐体と収容体とを互いに固定することにより、使用者がベンダ用ポートを触り又は使用して、光通信装置の故障又は不具合を招くことを防ぐことができる。
【発明を実施するための最良の形態】
【００２０】
以下、本発明をその実施の形態を示す図面に基づいて詳述する。
【００２１】
図１は、本発明に係る光通信装置の略示分解斜視図、図２は光通信装置の略示斜視図である。本実施の形態に係る光通信装置は、基板６に配置された光通信回路部４３（図５参照）と、光通信回路部４３を収容する筐体１とを備えている。光通信回路部４３は、電気信号を光信号に変換するＥ／Ｏ変換部、光信号を電気信号に変換するＯ／Ｅ変換部、信号の符号化及び復号化を行う各種回路を備えている。
【００２２】
筐体１は、平面視で略長方形の一方の長辺部１ａ及び短辺部１ｃの角部を切り欠いた扁平な略直方体形状をなしている。筐体１は、厚さ方向に分割可能な第１半体１１０及び第２半体１２０を有しており、第１半体１１０及び第２半体１２０が嵌合固定されて構成されている。筐体１の一方の短辺部１ｃには、ＬＡＮケーブルが接続されるＬＡＮポート４１を備え、筐体１の切り欠き部分の一面には、光ファイバのプラグが接続されるレセプタクル４０が筐体１の長辺方向に向けて設けられている。
【００２３】
第１半体１１０及び第２半体１２０夫々は、平面視で略長方形の一の角部を切り欠いた形状であり、下方の第１半体１１０側には、筐体１の長辺方向に摺動自在に収容体２が積層連結されている。
【００２４】
収容体２は、平面視で、筐体１の他方の長辺部１ｂ及び短辺部１ｄと同長の長辺及び短辺を有する略長方形の底板部２０を有している。底板部２０の周囲には側壁部２１が立設されており、収容体２は、光ファイバの余長部分を巻回処理した状態で内部に収容するように形成してある。側壁部２１の一方の短辺側壁部２１ｃには、短辺側壁部２１ｃの外側と内側とを連通させ、光ファイバを引き込む引込部２３が形成されている。また、収容体２の底板部２０は、一方の短辺側壁部２１ｃ及び長辺側壁部２１ａの角部分に円柱突起２４を形成しており、円柱突起２４は一端に螺合部２４ａを有している。
【００２５】
また、光通信装置は、筐体１の切り欠き部分及びレセプタクル４０を覆う蓋体３を備えている。蓋体３は、図２に示すように筐体１の上面側の切り欠き部分を覆う略長方形の天板部３０を有し、天板部３０は、一の長辺及び短辺側から、収容体２の短辺側壁部２１ｃ及び長辺側壁部２１ａへ延設された側壁３１を有している。
【００２６】
第２半体１２０は、天板部３０の長辺側と接する面に平面視でＵ字状の蓋体係止部１２１、１２１を２つ形成しており、天板部３０の他方の長辺側部分には、蓋体係止部１２１、１２１に嵌入する蓋体係止板３２、３２が、天板部３０から収容体２方向へ凸設されている。蓋体係止部１２１、１２１に蓋体係止板３２、３２が嵌入した場合、蓋体３は筐体１に係止される。
【００２７】
また、天板部３０は、側壁３１側の角部分の裏側から螺合部２４ａまで延長された円柱状部分を形成しており、前記角部分及び円柱状部分の中心部分には、ねじ孔３３が形成されている。蓋体３は、ねじ孔３３を通じて螺合部２４ａに螺合する星型ねじ、花形ねじ等の特殊ねじ５により、収容体２に固定されている。
【００２８】
図３は、図１に示した状態から収容体２を摺動させた状態における光通信装置の略示斜視図、図４は、光通信装置の底面図である。図１に示す状態から、筐体１の長辺方向、特に短辺部１ｃ側の方向へ収容体２を筐体１に対して摺動させた場合、図３及び図４（ａ）に示すように収容体２の底板部２０がより広く開放し、第１半体１１０の底面１１０ａが一部露出する。光通信装置は、ベンダ用ポート４２を筐体１内部に備えており、筐体１の露出した底面１１０ａの適宜箇所には、ベンダ用ポート４２を光通信装置の外部へ露出するための矩形状のポート孔１１２が形成されている。ベンダ用ポート４２は、使用者以外の製造業者又は通信事業者が使用する接続部であり、例えば、光通信装置の製造における出荷検査の検査において、外部のコンピュータ等に接続され、光通信装置の検査又は機能設定用の命令等のデータを入出力するために用いられる。ポート孔１１２は、底面視で、ベンダ用ポート４２と同程度の面積を有している。ベンダ用ポート４２は、光通信回路部４３に接続されており、ベンダ用ポート４２を通じて光通信装置の検査又は機能設定を行うことができる。筐体１及び収容体２が図１に示す位置関係にある場合、図４（ｂ）に示すように、第１半体１１０の底面１１０ａ及びベンダ用ポート４２は、収容体２により覆われ、光通信装置の外部から隠れた状態となる。
【００２９】
次に、筐体１及び収容体２の積層連結に係る構造を説明する。図５は、筐体１及び収容体２の連結部分を示す分解斜視図、図６は、第１半体１１０の裏面図、図７は、筐体１及び収容体２の連結状態を示す説明図である。収容体２は、長辺方向に適宜長隔離して形成された２つの連結突起２５、２５を底板部２０に形成しており、第１半体１１０は、２つの連結突起２５、２５に夫々連結する連結部１１３、１１３を底部１１１に形成している。図７（ａ）、（ｂ）、（ｃ）は、連結部１１３、１１３の上面図、側断面図及び底面図である。
【００３０】
連結突起２５、２５は、底板部２０から垂直方向に凸設された連結足２５ａ、２５ａを備えており、連結足２５ａ、２５ａの端部には、収容体２の短辺方向に連結足２５ａ、２５ａより幅広に形成された係合部２５ｂ、２５ｂを備えている。
【００３１】
連結部１１３、１１３は、図３及び図４（ａ）に示すようにベンダ用ポート４２を光通信装置の外部へ露出させた状態で筐体１を収容体２に積層させた場合、連結突起２５、２５の係合部２５ｂ、２５ｂが挿通する挿通孔１１３ａ、１１３ａを、連結突起２５、２５の対向する部位に備えている。挿通孔１１３ａ、１１３ａには、連結足２５ａ、２５ａを短辺部１ｄ側の長辺方向に案内し、図１及び図４（ｂ）に示すようにベンダ用ポート４２が外部から隠れる状態まで収容体２を摺動させるための案内孔１１３ｂ、１１３ｂが連続形成されている。より具体的には、案内孔１１３ｂ、１１３ｂは、筐体１の長辺方向に長い略矩形状の孔であり、案内孔１１３ｂ、１１３ｂの幅は、係合部２５ｂ、２５ｂの長手方向の幅より短く、連結足２５ａ、２５ａが遊嵌するような寸法である。挿通孔１１３ａ、１１３ａの周縁には、係合板部１１３ｃ、１１３ｃが形成されている。係合板部１１３ｃ、１１３ｃは、収容体２が第１半体１１０の厚さ方向へがたつかないように係合部２５ｂ、２５ｂを係止している。
【００３２】
従って、案内孔１１３ｂ、１１３ｂ及び挿通孔１１３ａ、１１３ａは、図１及び図４（ｂ）に示すように収容体２の短辺側壁部２１ｃが第１半体１１０の短辺と一致した場合、連結足２５ａ、２５ａが案内孔１１３ｂ、１１３ｂの一端に当接し、図３及び図４（ａ）に示すように収容体２の短辺側壁部２１ｃが第１半体１１０の短辺と隔離し、ベンダ用ポート４２が光通信装置の外部へ露出した場合、連結足２５ａ、２５ａが挿通孔１１３ａ、１１３ａに挿通した状態となる。
【００３３】
また、収容体２は、筐体１に対する収容体２の摺動を係止する凸状の係止部２２ａ、２２ｂ、２２ｃを、長辺側壁部２１ａ、２１ｂの内面に形成しており、第１半体１１０の裏面には、図４（ｂ）に示すようにベンダ用ポート４２が隠れる位置に収容体２を摺動させた場合、各係止部２２ａ、２２ｂ、２２ｃに夫々嵌合する鉤部１１４ａ、１１４ｂ、１１４ｃが突設されている。係止部２２ａ及び係止部２２ｂは、長辺側壁部２１ａ及び長辺側壁部２１ｂの対向する内面の適宜箇所に形成されており、係止部２２ｃは、係止部２２ｂから隔離した長辺側壁部２１ｂの内面に形成されている。筐体１に対して、収容体２を摺動させた場合、鉤部１１４ａ、１１４ｂ、１１４ｃは、収容体２の長辺側壁部２１ａ及び長辺側壁部２１ｂの内面に沿って摺動する。
【００３４】
次に光通信装置の検査又は機能設定を行う方法を説明する。光通信装置の出荷検査を行う場合、まず、図１及び図４（ｂ）に示すようにベンダ用ポート４２が隠れた光通信装置の収容体２を、図３及び図４（ａ）に示す状態まで摺動させて、ベンダ用ポート４２を光通信装置の外部へ露出させる。そして、露出したベンダ用ポート４２に、外部のコンピュータに接続されるプラグを接続し、検査又は機能設定を行うための命令等のデータをコンピュータからベンダ用ポート４２へ入力する。
【００３５】
光通信装置の検査又は機能設定を終えた場合、ベンダ用ポート４２が光通信装置の外部へ露出した状態にある光通信装置の収容体２を、図１及び図４（ａ）に示すようにベンダ用ポート４２が光通信装置の外部から隠れた状態まで摺動させる。
【００３６】
次いで、図１及び図２に示すように、蓋体３の蓋体係止板３２、３２を第２半体１２０の蓋体係止部１２１、１２１に嵌入させて、蓋体３を筐体１及び収容体２に取り付ける。最後に、特殊ねじ５を蓋体３のねじ孔３３を挿通させて螺合部２４ａに螺着する。
【００３７】
図８は、筐体１及び収容体２と蓋体３との連結状態を示す断面図、図９は、図８のIX−IX線断面図である。蓋体３の蓋体係止板３２、３２が蓋体係止部１２１、１２１に嵌入した場合、図９に示すように蓋体３の筐体１に対する長辺方向の移動が係止され、蓋体３が収容体２にねじ止めされた場合、蓋体３は収容体２に対して固定される。従って、蓋体３がねじ止めされた場合、収容体２と筐体１とは互いに固定された状態となり、ベンダ用ポート４２は光通信装置の外部へ露出しない。
【００３８】
このように構成される光通信装置にあっては、出荷検査を行う際、筐体１を第１半体１１０及び第２半体１２０に解体する必要はなく、効率的に光通信装置の検査又は機能設定を行うことができる。一方、光通信装置を使用する場合、ベンダ用ポート４２が光通信装置の外部へ露出することは無く、従って、光通信装置の使用者がベンダ用ポート４２に触れ又は使用することにより、光通信装置の故障又は不具合を招くような虞は生じない。
【００３９】
また、筐体１を解体する必要がなく、検査の際にもベンダ用ポート４２と同程度の大きさのポート孔１１２が光通信装置の外部へ露出する程度であり、実際の使用状態に近い状態で光通信装置の検査を行うことができるため、正確に光通信装置の検査を行うことができる。例えば、筐体１を解体した場合、光通信回路部４３の放熱状態が変化し、温度に対する光通信装置の動作安定性を正しく評価することが困難となるが、本発明によれば、簡易に正確な検査を行うことができる。
【００４０】
更に、ベンダ用ポート４２を光通信装置の外部へ露出し、又は装置の外部から隠す部材として、光通信装置に接続する光ファイバの余長処理に必要な収容体２を用いているため、光通信装置が複雑化することはない。
【００４１】
更にまた、ベンダ用ポート４２が光通信装置の外部へ露出しない状態にて、収容体２と筐体１とを互いに固定することができるため、ベンダ用ポート４２が露出する虞は生じない。
【００４２】
なお、本形態においては、光通信装置は、ベンダ用ポートを備えているが、製造工程において必要な他のデータを入出力するように構成しても良い。
【００４３】
また、蓋体を特殊ねじにより固定して、収容体と筐体とを互いに固定しているが、施錠して収容体と筐体とを互いに固定するように構成しても良い。
【図面の簡単な説明】
【００４４】
【図１】本発明に係る光通信装置の略示分解斜視図である。
【図２】光通信装置の略示斜視図である。
【図３】図１に示した状態から収容体を摺動させた状態における光通信装置の略示斜視図である。
【図４】光通信装置の底面図である。
【図５】筐体及び収容体の連結部分を示す分解斜視図である。
【図６】第１半体の裏面図である。
【図７】筐体及び収容体の連結状態を示す説明図である。
【図８】筐体及び収容体と蓋体との連結状態を示す断面図である。
【図９】図８のIX−IX線断面図である。
【符号の説明】
【００４５】
１  筐体
２  収容体
３  蓋体
５  特殊ねじ
６  基板
２５、２５  連結突起
２５ａ、２５ａ  連結足
２５ｂ、２５ｂ  係合部
３０  天板部
３１  側壁
３２  蓋体係止板
３３  ねじ孔
４２  ベンダ用ポート
４３  光通信回路部
１１０  第１半体
１１２  ポート孔
１１３、１１３  連結部
１２０  第２半体
１２１  蓋体係止部
【図１】
2006135108.tif 000003
【図２】
2006135108.tif 000004
【図３】
2006135108.tif 000005
【図４】
2006135108.tif 000006
【図５】
2006135108.tif 000007
【図６】
2006135108.tif 000008
【図７】
2006135108.tif 000009
【図８】
2006135108.tif 000010
【図９】
2006135108.tif 000011